(57)【要約】  落天井２、浮床、パイプ又はケーブルトレイのための固定システムを水平にする方法。固定システムは、落天井２、浮床又はケーブルトレイの支持フレーム１５のパイプ又はセクションバー１４のための少なくとも１つの支持ブラケットと、基準面３からのセクションバー１４の距離を調整する調整ねじ１０とを備え、レーザー受信機１８は、セクションバー１４又は支持ブラケット１２と接触するように配置され、レーザーレベル１７によって放射されるレーザービーム２０を受信する光学窓１９を備え、基準位置２１に対するレーザービーム２０の受信位置を示す２つの高さ状態を仮定し、２つの高さ状態に対応する２つの制御信号をワイヤレスで送信し、電動スクリュードライバー２６は、制御信号をワイヤレスで受信し、受信された制御信号に基づいて、一方向及び反対方向に調整ねじ１０の回転を切り替える。【選択図】図３
2021526222.tif 000002
【特許請求の範囲】
【請求項１】
落天井、浮床、パイプ又はケーブルトレイの固定システムを水平にする方法であって、
前記固定システム（１）は、基準面（３）から距離をおいて、落天井（２）、浮床又はケーブルトレイの支持フレーム（１５）のパイプ又はセクションバー（１４）を支持するように設計される少なくとも１つの支持ブラケット（１２）と、
前記距離を調整するそれぞれの調整ねじ（１０）とを備え、
該方法は、
レーザー受信機（１８）の光学窓（１９）がレーザーレベル（１７）のレーザービームを受信するように、前記セクションバー（１４）又は前記支持ブラケット（１２）に接触するように前記レーザー受信機（１８）を配置することと、
前記レーザー受信機（１８）によって、前記レーザービーム（２０）の受信位置が、前記レーザー受信機（１８）上の基準位置（２１）よりも、それぞれ高いこと及び低いことを示す少なくとも２つの高さ状態を仮定することと、
前記レーザー受信機（１８）のインターフェース手段（２４）を用いて、前記２つの高さ状態を２つのそれぞれの制御信号に変換することと、
前記レーザー受信機（１８）のワイヤレス送信機手段（２５）を用いて、前記２つの制御信号を送信することと、
前記調整ねじ（１０）を回転させるように設計される電動スクリュードライバー（２６）のワイヤレス受信機手段（３１）を用いて、前記制御信号を受信することと、
前記電動スクリュードライバー（２６）のスイッチング手段（３２）を用いて、前記２つの制御信号のうちのいずれが受信されるかに基づいて、一方向及び反対方向に前記調整ねじ（１０）の前記回転を切り替えることと、
を含む、方法。
【請求項２】
請求項１に記載の方法を実行するレベリングシステムであって、該レベリングシステムは、
レーザー受信機（１８）であって、前記レーザーレベル（１７）によって放射されるレーザービーム（２０）を受信する光学窓（１９）を備え、基準位置（２１）を含み、前記レーザービーム（２０）の前記受信位置が前記基準位置（２１）よりもそれぞれ高いこと及び低いことを示す、少なくとも２つの高さ状態を仮定するように構成され、前記２つの高さ状態を前記２つのそれぞれの制御信号に変えるインターフェース手段（２４）と、前記２つの制御信号を送信するワイヤレス送信機手段（２５）とを備える、レーザー受信機（１８）と、
電動スクリュードライバー（２６）であって、前記調整ねじ（１０）を回転させるように設計され、前記２つの制御信号を受信するワイヤレス受信機手段（３１）と、前記２つの制御信号のうちのいずれが受信されたかに基づいて一方向及び反対方向に前記回転を切り替えるように構成されるスイッチング手段（３２）とを備える、電動スクリュードライバー（２６）と、
を備える、
レベリングシステム。
【請求項３】
前記電動スクリュードライバー（２６）は、
モーター（２７）と、
前記モーター（２７）によって動かされる回転ヘッド（２９）と、
前記モーター（２７）の回転を起動させる単一の起動ボタン（３３）と
を備える、
請求項２に記載のレベリングシステム。
【請求項４】
前記起動ボタン（３３）は、前記モーター（２７）と直列に接続されている、
請求項３に記載のレベリングシステム。
【請求項５】
前記ワイヤレス送信機手段（２５）及び前記ワイヤレス受信機手段（３１）は、無線送信機手段及び無線受信機手段である、
請求項２〜４のいずれか１項に記載のレベリングシステム。
【請求項６】
前記ワイヤレス送信機手段（２５）及び前記ワイヤレス受信機手段（３１）は、２つのチャネルを有し、それぞれが前記２つの制御信号のそれぞれの信号と関連する、
請求項２〜５のいずれか１項に記載のラベリングシステム。
【請求項７】
前記ワイヤレス送信機手段（２５）は、エンコーダー、例えばＰＴ２２６０エンコーダーを含み、前記ワイヤレス受信機手段（３１）は、デコーダー、例えばＰＴ２２６０デコーダーを含む、
請求項２〜６のいずれか１項に記載のレベリングシステム。
【請求項８】
前記電動スクリュードライバー（２６）は、ＤＣモーター（２７）と、前記モーター（２７）に供給電圧を印加するバッテリーとを備え、
前記スイッチング手段（３２）は、少なくとも２つのダイバーターリレーを備え、
前記少なくとも２つのダイバーターリレーは、前記２つの制御信号のうちのいずれが受信されたかに基づいて、前記供給電圧が印加される前記方向を切り替えるように構成される、
請求項２〜７のいずれか１項に記載のレベリングシステム。
【発明の詳細な説明】
【技術分野】
【０００１】
［関連技術の相互参照］
本特許出願は、２０１８年６月１日に出願されたイタリア国特許出願第１０２０１８０００００５９４６号の優先権を主張するものであり、このイタリア国特許出願の開示全体は、引用することによって本明細書の一部をなす。
【０００２】
本発明は、落天井(dropped ceilings)、浮床(floating floors)、パイプ又はケーブルトレイを自動的に水平にする（levelling）方法、及び対応する自動レベリングシステムに関する。
【０００３】
特に、本発明は、排他的ではないが、落天井の自動レベリングにおいて有利な応用を見出し、この落天井の自動レベリングが以下の説明において明示的に参照されるが、これが理由で普遍性(generality)を失うことない。
【背景技術】
【０００４】
建築の分野において、異なるタイプの複数のケーブルを通す空洞を作り出すために、石膏ボードの落天井を建物の天井に接続するように用いられる、固定システムが既知である。
【０００５】
固定システムは、複数のねじ付きロッドを備え、複数のねじ付きロッドは、実質的に互いに平行であり、天井に結合され、天井から下向きに突出している。
【０００６】
固定システムは、各ねじ付きロッドについて、特に、支持ブラケットによって画定されるそれぞれの固定装置を更に備え、固定装置は、ねじ付きロッドの下部の自由端部にねじ込まれ、ねじ付きロッドに接続された状態で、落天井のための支持フレームの一部を画定するセクションバーを保持する。
【０００７】
天井に対する各セクションバーの正しい位置、すなわち、落天井の正しいレベリングは、受信機と協調するレーザーレベルを用いて制御され、受信機は、セクションバーと接触するように配置され、レーザーレベルによって放射されるレーザービームを受信する。
【０００８】
上述したタイプの既知の固定装置は、いくつかの欠点に影響され、その欠点は、主に、受信機が建物の天井に対するセクションバーの誤った位置を知らせる場合、操作者は、支持ブラケットからセクションバーを取り除き、ねじ付きロッド上の支持ブラケットを回転させ、セクションバーを支持ブラケットに再び結合させ、レーザーレベル及び受信機を用いてセクションバーの位置を再び制御しなければならないということに起因する。
【０００９】
換言すると、建物の天井に対する石膏ボードの落天井のレベリングは、落天井の設置に関わる操作者にとって、比較的長く、複雑で、高価な動作シーケンスを意味する。
【発明の概要】
【発明が解決しようとする課題】
【００１０】
本発明の目的は、上述した欠点に影響されず、単純で経済的な方法で実施することができる、落天井の固定システムのためのレベリングシステムを提供することである。
【課題を解決するための手段】
【００１１】
本発明によると、添付の特許請求の範囲内に記載されるように、落天井、浮床、パイプ又はケーブルトレイのための固定システムを水平にする方法及びレベリングシステムが提供される。
【図面の簡単な説明】
【００１２】
【図１】落天井を天井に取り付けるための固定システムの概略側面図である。
【図２】図１の固定システムの固定装置の概略斜視図である。
【図３】本発明によるレベリングシステムを示す図であり、レベリングシステムは、特に、図１の落天井のための固定システムを水平にする、本発明による方法を実行するように設計されている。
【図４】図２の固定装置の詳細の更なる実施形態の断面図である。
【発明を実施するための形態】
【００１３】
以下、本発明の非限定的な実施形態を示す添付の図面を参照しながら本発明を記載する。
【００１４】
図１において、符号１は、通常、全体として、特に石膏ボードから作られた落天井２を建物の天井３に固定する固定システムを示す。固定システム１は、複数の掛止ロッド４を備え、複数の掛止ロッド４は、互いに平行で、既知の方法で天井３に結合され、天井３から下向きに突出する。
【００１５】
固定システム１は、各掛止ロッド４について、それぞれの固定装置５を更に備え、それぞれの固定装置５は、次いで、結合バー６を備え、結合バー６は、長手方向軸７を含み、実質的に軸７に対して垂直である２つの端面８によって軸方向に区切られている。
【００１６】
図１及び図２を参照すると、結合バー６は、２つのねじ付きキャビティ９を備え、それぞれが関連する面８の領域において外向きに広がっている。
【００１７】
キャビティ９のうちの１つは、掛止ロッド４の下部のねじ付き端部をねじ込まれる一方、他方のキャビティ９には、六角形の操作ヘッド（manoeuvring head）１１が設けられた調整ねじ１０がねじ込まれる。
【００１８】
固定装置５は、支持ブラケット１２を更に備え、支持ブラケット１２は、調整ねじ１０に対して回転して軸方向に摺動するように結合される端部スリーブ１３が設けられ、スリーブ１３から下向きに突出し、スリーブ１３に掛止された状態で、落天井２の支持フレーム１５のセクションバー１４を保持する。
【００１９】
操作ヘッド１１は、スリーブ１３、したがって支持ブラケット１２を軸方向に係止するように設計される下限停止部材を画定し、下限停止部材は、緩衝部材ばね１６の介在によって結合バー６に結合される。
【００２０】
図３において、符号１７は、特に三脚１７ａによって支持される、既知のレーザーレベル、例えば、回転ビームを用いるレーザーレベルを示し、符号１８は、天井３に対する各セクションバー１４の正しい位置、すなわち、落天井２の正しいレベリングを制御するために、レーザーレベル１７と協調するレーザー受信機を示す。代替的に、レーザーレベル１７は、固定ビームを用いるレーザーレベルである。
【００２１】
レーザー受信機１８は、レーザーレベル１７によって放射されるレーザービーム２０を受信するように設計される光学窓１９と、レーザー受信機１８の外殻２２の面上に印字され、光学窓１９の寸法及び位置と相関する基準位置２１とを含む。図３によると、使用時に、レーザー受信機１８は、セクションバー１４と接触するように配置され、レーザーレベル１７は、天井３と落天井２との間の所望の距離と相関する所与の高さにおいて、レーザービーム２０を光学窓１９に向けて発射するように配置される。
【００２２】
レーザー受信機１８は、第１の高さ状態が、レーザービーム２０の受信位置が基準位置２１よりも高いこと（「高すぎる」状態）を示し、第２の高さ状態が、レーザービーム２０の受信位置が基準位置２１よりも低いこと（「低すぎる」状態）を示す、少なくとも２つの高さ状態を仮定するような既知の方法で構成される電子モジュール２３を備える。さらに、電子モジュール２３は、レーザービーム２０の受信位置が正しいこと、すなわち、所定の許容誤差（「正しいレベル」）内で基準位置２１と一致することを示す第３の高さ状態も仮定するような既知の方法で構成されている。
【００２３】
レーザー受信機１８は、通常、レーザー受信機１８が３つの高さ状態のうちのいずれの１つにあるのかを表示するために、本明細書では図示されていない既知のディスプレイを備える。
【００２４】
レーザー受信機１８は、少なくとも、第１の高さ状態（「高すぎる」）及び第２の高さ状態（「低すぎる」）を２つのそれぞれの制御信号に変換するインターフェースモジュール２４と、その２つの制御信号を送信するワイヤレス送信機モジュール２５とを更に備える。インターフェースモジュール２４及びワイヤレス送信機モジュール２５は、リアルタイムで動作する。
【００２５】
再び図３を参照すると、使用時に、スリーブ１３、支持ブラケット１２、及び、したがって、セクションバー１４を軸方向に上げるか又は下げるように、調整ねじ１０を軸７の周りに回転させるために、落天井２を設置する操作者によって電動スクリュードライバー２６が用いられる。
【００２６】
電動スクリュードライバー２６は、既知のＤＣ電気モーター２７と、モーター２７に供給電圧を印加するバッテリー２８と、モーター２７によって動かされる回転ヘッド２９とを備える。電動スクリュードライバー２６は、調整ねじ１０の操作ヘッド１１に回転ヘッド２９を結合させるために、例えば自在継手を備えるタイプの多関節結合アーム３０が設けられることが有利である。
【００２７】
電動スクリュードライバー２６は、リアルタイムで２つの制御信号を受信するワイヤレス受信機モジュール３１と、２つの制御信号のうちのいずれがワイヤレス受信機モジュール３１によって受信されるかに基づいて、一方向及びその反対方向にモーター２７の回転を切り替えるように構成されるスイッチングモジュール３２とを更に備える。
【００２８】
特に、スイッチングモジュール３２は、２つの制御信号のうちのいずれが受信されるかに基づいて、供給電圧がモーター２７に印加される方向を切り替えるように構成されている、少なくとも２つのダイバーターリレー（diverter relays）（図示せず）を備える。
【００２９】
電動スクリュードライバー２６は、モーター２７の回転を起動させるために、単一の起動ボタン３３を備える。特に、起動ボタン３３は、モーター２７と直列に接続されている。
【００３０】
ワイヤレス送信機モジュール２５及びワイヤレス受信機モジュール３１は、双方とも無線モジュールであり、ＩＳＭ周波数帯域内で、好ましくは１ＧＨｚ未満、例えば４３３ＭＨｚ帯域で、動作することが有利である。
【００３１】
ワイヤレス送信機モジュール２５及びワイヤレス受信機モジュール３１は、２つのチャネル、すなわち、第１の制御信号に関連付けられる第１のチャネル及び第２の制御信号に割り当てられる第２のチャネルの双方を有することが有利である。
【００３２】
ワイヤレス送信機モジュール２５は、エンコーダー、例えばＰＴ２２６０エンコーダーを含むことが有利であり、ワイヤレス受信機モジュール３１は、デコーダー、例えばＰＴ２２６０デコーダーを含むことが有利である。
【００３３】
使用時に、操作者は、レーザー受信機１８を、高さを調整する必要がある支持ブラケット１２に可能な限り近い点において、セクションバー１４に接触するように配置し、天井３及び落天井２の間の所望の距離に相関する、天井３からの所与の距離において、レーザービーム２０を光学窓１９に向けて発射するようにレーザーレベル１７を配置し、結合アーム３０を介してスクリュードライバー２６を調整ねじ１０に結合し、起動ボタン３３を押す。
【００３４】
レーザー受信機１８が、天井３からのセクションバー１４の誤った距離を知らせた場合、スクリュードライバー２６は、スリーブ１３、支持ブラケット１２及びしたがって、セクションバー１４を軸方向に上げるか又は下げるように、調整ねじ１０を調整することによってリアルタイムに反応する。他方、レーザー受信機１８が、天井３からのセクションバー１４の正しい距離を知らせた場合、スクリュードライバー２６は停止する。
【００３５】
特に、レーザー受信機１８が、「高すぎる」状態にある場合、スクリュードライバー２６は、スリーブ１３を下げるように調整ねじを回転させる。反対に、レーザー受信機１８が、「低すぎる」状態にある場合、スクリュードライバー２６は、スリーブ１３を上げるように調整ねじを回転させる。他方、レーザー受信機１８が、「正しいレベル」状態にある場合、レーザー受信機１８は、いずれの制御信号も送信せず、したがって、スクリュードライバー２６は停止する。この時点において、操作者は、起動ボタン３３を離すことができる。
【００３６】
本発明の更なる実施形態によると、固定装置５は、結合バー６の代わりに、図４で図示され３４として示される結合ブロックを含むということが理由で、図２に示される固定装置とは違う。結合ブロック３４は、２つのねじ付きキャビティ３５及び３６を含む。特に、２つのキャビティ３５及び３６は、互いに対してオフセットされている。キャビティ３５はブラインドキャビティ（blind cavity）であり、キャビティ３６はスルーキャビティ（through cavity）である。キャビティ３５には、掛止ロッド４の下部のねじ付き端部がねじ込まれ、キャビティ３６には、調整ねじ１０がねじ込まれる。
【００３７】
したがって、レーザー受信機１８及びスクリュードライバー２６はレベリングシステムを形成し、このレベリングシステムは、レーザー受信機１８と適合する任意のレーザーレベル１７と協調して、設置操作者によって実行されるほんの僅かな動作で、固定システム１、したがって、落天井２の支持フレーム１５のセクションバー４を自動的に水平にする方法の実施を可能にする。
【００３８】
本明細書では示されない、本発明の更なる実施形態によると、本方法は、浮床、パイプ又はケーブルトレイのための固定システムを自動的に水平にするように用いられる。
【００３９】
浮床の場合、固定システムは、基礎からの所与の距離において、浮床の支持フレームのセクションバーを支えるように、それぞれの脚を用いて、基礎に載っている支持ブラケットを備える。水平にされる浮床のタイルは、上記セクションバーに敷設される。各支持ブラケットの調整ねじによって、基礎からのセクションバーの距離の調整が可能になる。したがって、基礎は、浮床の距離を調整するように用いられる基準面である。調整ねじは、それぞれの脚に組み込まれているか又は支持ブラケット及び支持フレームの間に配置されるねじである。
【００４０】
パイプ、例えば、住宅建物又は工業建物における配水システムのパイプの場合、固定システムは、例えば、水平にされるパイプが配置される部屋の天井又は床からなる基準面からの所与の距離において、パイプを直接支えるための支持ブラケットと、各支持ブラケットについて、基準面からの支持ブラケットの距離を調整するためのそれぞれの調整ねじとを備える。使用時に、レーザー受信機１８は、支持ブラケットのそれぞれの１つと直接接触するように配置される。
【００４１】
ケーブルトレイの場合、固定システムは、例えば、水平にされるトレイが配置される部屋の天井又は床からなる基準面からの所与の距離において、トレイの支持フレームのセクションバーを支持するための支持ブラケットと、各支持ブラケットについて、基準面からのセクションバーの距離を調整するためのそれぞれの調整ねじとを備える。ケーブルは、支持フレームの上記セクションバーに沿って敷設される。
【００４２】
上述した本発明は、特定の実施形態に関するが、本発明は、上記実施形態に限定されるものとみなされるべきでなく、その保護範囲について、添付の特許請求の範囲が及ぶ全ての変形形態、変更形態又は簡略化形態も含み、例えば、何らかの方法で、セクションバーのための支持ブラケット及びブラケットの高さを調整するための調整ねじを備える、簡略化した固定装置５等を含む。
【図１】
2021526222.tif 000003
【図２】
2021526222.tif 000004
【図３】
2021526222.tif 000005
【図４】
2021526222.tif 000006
【国際調査報告】
2021526222.tif 000007
2021526222.tif 000008